(57)【要約】      （修正有）【課題】液体の燃料を効果的に燃消させることができて燃料節減及び煤煙発生を減らすことができるようにする。【解決手段】高純度セラミックス原料と遷移金属を活用して精密に成形塑性した循環路を備えたボディーを中心にして、このボディー中央には燃料分子をより易しく活性イオン化するために発熱体を挿入して、ボディーは液状燃料の分子が活性化するための適正時間をボディー中央の発熱体周りをずっと循環することができる循環路を設計して、循環路外部には電磁気波を形成するための磁石を配置して、循環路入口と出口にセラミックスを適切に配列して内部と外部でお互いに反応させる。【選択図】図３
2010059840.tif 000002
【特許請求の範囲】
【請求項１】
中央に内部循環路１１と該内部循環路１１の外壁１２に放射状を形成した隔壁１３によって区画される外部循環路１４と前記それぞれに区画される外部循環路１４の外壁１５には凹入部１６を形成し、前記凹入部１６にそれぞれの磁石２０が装着されるボディー１０と該ボディー１０の隔壁１３と外壁１２、１５との一側端には外部循環路の液状の燃料入口１４aに流入された燃料がボディー１０の外部循環路１４のそれぞれ１４b、１４c、１４d、１４e、１４fを順次にジグザグに循環されながら燃料出口１４fに吐出される燃料は、再び内部循環路１１に流入されて内部循環路出口１１aを通じて流出するようにするためにボディーの一側には内部循環路１１と外部循環路１４との外壁１２、１５及び隔壁１３にはそれぞれ選択的に突出壁１７が形成され、他側には内部循環路１１と外部循環路１４との外壁１２、１５及び隔壁１３には前記突出壁１７とお互いに行き違う位置に突出壁１７aが形成され、それぞれの突出壁１７、１７aとかみ合うように噛み合い部１８aが形成された密閉覆い１８で覆ってジグザグに循環される循環路８０を構成することを特徴とする液状燃料の分子活性イオン化装置。
【請求項２】
前記ボディーの内部循環路の内壁には発熱体が装着されることを特徴とする請求項１に記載の液状燃料の分子活性イオン化装置。
【請求項３】
前記磁石は、外部循環路が形成された外壁の余白に形成された凹入部に装着されることを特徴とする請求項１に記載の液状燃料の分子活性イオン化装置。
【請求項４】
前記内部循環路の放射状で形成された隔壁によって外部循環路を区切るようにするボディーの両端には、密閉覆いの外側にボディー覆いが装着されることを特徴とする請求項１ないし３のうちいずれか一つに記載の液状燃料の分子活性イオン化装置。
【請求項５】
前記ボディーはケースの内部に装着される場合にボディーの両端外側に乱流板の間にセラミックチップが収容された通孔を有するセラミック筒が形成され流出口を有する覆いで覆われるケースに収容されることを特徴とする請求項４に記載の液状燃料の分子活性イオン化装置。
【請求項６】
前記内部循環路には螺旋形板が装着されることを特徴とする請求項５に記載の液状燃料の分子活性イオン化装置。
【請求項７】
前記乱流板を間にボディー覆いとケースの覆いとが形成される場合に一定な空間が形成されることを特徴とする請求項５に記載の液状燃料の分子活性イオン化装置。
【請求項８】
前記乱流板には、切開片による切開部によって乱流孔が形成されることを特徴とする請求項５または７に記載の液状燃料の分子活性イオン化装置。
【請求項９】
前記セラミックスチップは、パイプの形態でなされることを特徴とする請求項５に記載の液状燃料の分子活性イオン化装置。
【発明の詳細な説明】
【技術分野】
【０００１】
本発明は、液状燃料の分子活性のためのイオン化装置に関するものであり、特に、化石原料を使う自動車や船舶またはボイラーや発電機などのような内燃機関の燃料を燃焼機関に供給する燃料供給ラインに装着して供給される液状燃料がこれを通過しながら燃料の分子を磁力と遠赤外線特有の放射を効率的に接近させて、浸透性分子の振動による共鳴吸収現象を起こして燃料分子を活性イオン化させることで分子結合の角度や環を変化させて空気または酸素とより易しく結合するようになるので、液状の燃料を効果的に燃消させて燃焼率を向上させる一方煤煙発生を減らすようにするものである。
【背景技術】
【０００２】
従来に磁力や遠赤外線を利用して燃料節減及び煤煙を低減する装置は多様な形態で開発されて来た。
まず単純磁場を利用した製品は磁力線の集束に構造上問題点があったし、これは燃料循環路と磁石の装着される位置の設定に構造上問題点があるために磁気化を利用して燃料を微細化させる程度が下がって、同時に磁気化のなされる時間が短くて、その効率が低いという短所があるものである。
これのために前記磁場にスクリューを利用して磁気化がなされる時間を縮めるようにしたが、スクリューで瞬間的な通過によって反応の効果自体が期待しにくくて、また空気を回転させるサイクロン形で燃焼のためにエンジンに流入される空気を回転させる原理を利用したものがあるが、このようなことは単純な空気の混入量のみを変化するようにすることでやっぱり所望の程度の期待ができないという短所があるものである。
また、プラズマの原理を利用したものもあるが、このようなものの短所は、高電圧が要求されることで、価格面で非経済的なものであるために、大衆的ではないという短所があるものである。
【発明の開示】
【発明が解決しようとする課題】
【０００３】
したがって、本発明は燃料の燃焼率を向上させて、これによる燃料節減及び煤煙の発生を防止するようにしたものである。
【課題を解決するための手段】
【０００４】
このために本発明は、液体燃料の分子が活性化することができるように外部循環路と内部循環路を区切るようにした後、外部循環路の外壁に磁石を装着するようにして、前記磁石は内部循環路にも磁力線が集束された状態で通過するようにすることで、磁力による燃料の活性化はもちろんセラミックスと内部循環路に装着された発熱体によって遠赤外線による放射効率を極大化することで液体原料の均一な燃焼が可能で、燃費及び出力を向上させて排気ガスを低減させることができるようにするものである。
【発明の効果】
【０００５】
したがって、本発明は化石原料を使う自動車や船舶またはボイラーなどのような内燃機関の燃料供給ラインに設置して、燃料がこれを通過しながら燃料の分子を遠赤外線特有の放射と磁力による浸透性分子の振動による共鳴吸収現象を起こして燃料分子を活性イオン化させることで分子結合の角度を変化させて空気または酸素を外部から受け入れることができる力が生ずるようになって酸素とより易しく結合するようになるので、液体の燃料を効果的に燃焼させることができるし、燃焼率を向上させる一方煤煙発生を減らすことができるものである。
【発明を実施するための最良の形態】
【０００６】
前記した目的を達成するために本発明の構成は、図６に示すように中央に内部循環路１１と該内部循環路１１の外壁１２に放射状で形成された隔壁１３によって区画される外部循環路１４と前記それぞれに区画される外部循環路１４の外壁１５には凹入部１６を形成して前記凹入部１６にそれぞれの磁石２０が装着されるボディー１０と図７に示すように前記ボディー１０の隔壁１３と外壁１２、１５の一側端には外部循環路の液状の燃料入口１４aに流入された燃料がボディー１０の外部循環路１４のそれぞれ１４b、１４c、１４d、１４e、１４fを順次にジグザグに循環されながら燃料出口１４fに吐出される燃料は再び内部循環路１１に流入されて図８に示すように内部循環路出口１１aを通じて流出するようにするために図７に示すように内部循環路１１と外部循環路１４の外壁１２、１５及び隔壁１３にはそれぞれ選択的に突出壁１７が形成され、図８に示すように内部循環路１１と外部循環路１４の外壁１２、１５及び隔壁１３には図７に形成された突出壁１７とお互いに行き違う位置に突出壁１７aが形成され、それぞれの突出壁１７、１７aとかみ合うように図５に示すように噛み合い部１８aが形成された密閉覆い１８で覆ってジグザグに循環されるように循環路８０を構成するようになるものである。
この時、密閉覆い１８の外側には補強のためにボディー覆い１９が結合されるものである。
【０００７】
しかし、密閉覆い１８を使わなくて図１０に示すようにボディー覆い１９に前記突出壁１７、１７aとかみ合う噛み合い部１９aを形成するようにすることで、簡単な構造を取ることができるものであり、この時にも図４に示すように密閉覆い１８やボディー覆い１９にはすべて外部循環路１４の燃料入口１４aと同一軸上に流入口１８b、１９bが形成されるものであり、また、図２及び図３に示すように密閉覆い１９の外壁には補強リブ１９cを形成して、ボディー１０の両端に一定間隔を置いて液状燃料の触媒作用のための遠赤外線が放射されるパイプ形態で成形された高純度セラミックスチップ３１らが収容されているセラミックス筒３０を収容する乱流孔４１を有する乱流板４０が一定間隔を維持するように形成されることで前記乱流板４０は両端に空間５５が形成されるように流出入口５１、５２が形成された外部覆い５３、５４と外部ケース５０によって囲まれるものである。
この時、内部循環路１１の内部を移動する液状燃料を内部循環路１１の内壁に沿って流れながら渦流させることができるように図４に示すように螺旋形で製造された螺旋形板６０が前記内部循環路１１の内側に内在されるものであり、この時液状燃料の活性化のために内部循環路１１の内壁には図３に示すように発熱体７０が装着された状態で螺旋形板６０が装着されるものである。
【０００８】
また、前記外部循環路１４の外壁１５に形成される凹入部１６にはそれぞれの磁石２０が内入されて外部循環路１４を流れるようになる液状の燃料と正確に磁石２０の磁力線が鎖交するようになるものであり、このような磁力線密度によって燃料活性化がなされるようになるものである。
【０００９】
このような磁力線密度が外部循環路１４に正確に鎖交するようにするために本発明では、多角形でなされて外部循環路１４の外壁１５に余白１５aが形成されるようにして、前記余白１５aに凹入部１６を形成することで可能にさせたものである。
また、このような多角形の外部循環路１４は、このような多角形による内側の角になった部分で液状の燃料が循環される場合に、渦流を発生するようになることで、活性化が易しくて容易になるものである。
【００１０】
また、前記ボディー１０は、特殊金属や遠赤外線を放射するようにするセラミックスで製造することができるし、螺旋形板６０も前記のように同一な材質で製造が可能なものである。
【００１１】
また、前記ボディー１０の突出壁１７、１７aと密閉覆い１８の噛み合い部１８aとの間には前記ボディー１０内の液状燃料の外部漏出を遮断するためのＯリングが内在することができる。
【００１２】
以下、本発明を前記の構成による作用効果を詳しく説明する。
本発明による液状燃料分子活性イオン化装置は、ボディー１０とこれの両側に触媒作用のための遠赤外線を放射するセラミックス筒３０、そして、イオン活性化のための乱流板４０が配列された円筒形状の外部ケース５０の両端に外部覆い５３、５４が螺合されて、前記外部覆い５３、５４には各種内燃機関の燃料系統ライン(図示せず)との連結のための流出入口５１、５２が螺合されている。
【００１３】
特に、外部ケース５０の外部覆い５３、５４と流出入口５１、５２には別途のＯリングが内在されているために、外部ケース５０の内部圧力が上昇されても外部ケース５０の内部を通過する液状の燃料が外部ケース５０と外部覆い５３、５４との間の隙間で漏出されないものである。
【００１４】
また、前記外部ケース５０の内部には外周面に磁場形成のための多数個の永久磁石２０が付着された円筒形状の磁力線が通過可能な金属材質のボディー１０が内在されて、前記ボディー１０の両側端には多数個の乱流孔４１を有する二つの乱流板４０が一定間隔を置いて配置されて、二つのこの乱流板４０の間には円筒形状で成形された多数個のセラミックスチップ３１らが収容されていて液状燃料が通過できるように多数個の通孔３２が四方に形成されたセラミックス筒３０が内在されている。
【００１５】
この時、セラミックスチップ３１は、液状の燃料との接触面積を大きくするためにパイプ状の円筒状で製造するようになるものであり、セラミックス筒３０に通孔３２が四方で形成されるようにしたことは、流れ性を優秀にさせることはもちろん、乱流を発生するようにするためのものである。
【００１６】
したがって、前記乱流板４０に形成された乱流孔４１は、平板でなされた乱流板にプレスによる穿孔でそれぞれの切開片４２が切開されながら直立されるように形成され、燃料の流入または流出される液状燃料がこのような切開片４２のあいだあいだに生ずる切開部４３によって乱流されてイオン化されるようにして、触媒作用の効率を増大させるものであり、ボディー１０の両側に対向されるように形成される。
【００１７】
また、前記覆い１８、１９と乱流板４０との間、そして前記乱流板４０とボディー１０との間に空間５５が形成されているので、このような空間５５によって負荷を受けなくなりながら液状燃料の円滑な流れがなされる。
【００１８】
このような空間確保のためにボディー１０の両側端に位置される乱流板４０をボディー１０から一定距離を離隔させるためにボディー覆い１９の外壁には補強用リブ１９cが形成されている。
【００１９】
前記補強用リブ１９cは、乱流板４０をボディー１０から一定距離を離隔させると共にボディー１０とこれに螺合されたボディー覆い１８、１９の間に秋間が生じないように押してくれる役割もする。
【００２０】
また、ボディー１０と外部ケース５０が結合される場合にボディーの外周面に一つ、あるいは多数個のＯリングが挟まれているので、ボディー１０と外部ケース５０との間が密閉されて外部ケース５０とボディー１０との間に液状燃料が抜けなくなるものであり、このようなＯリングは気密維持のために継ぎになる部分にすべて適用が可能なものである。
本発明で液状燃料の触媒作用のために遠赤外線を放射するセラミック筒３０に収容されているセラミックスチップ３１らは液状燃料の流れにも粉末が生じないように成形されたものであり、SiO２に多数の成分が混合された基本成分にして６３〜８３重量％と効率的なセラミックス成分で遠赤外線を放射するために、B２OとCaO及び多数の成分を混合してなされた添加成分を１７〜３７重量％を混合塑性して、１，０００〜１，３００℃の熱を加えた後、液状燃料との接触面積で極大化することができるように円筒形状で塑性して製造したものである。
【００２１】
ここで、外部循環路１４の外壁１５に装着された磁石２０は、磁石２０から発生される磁気力線によって形成される磁界(Magnetic Field)が外部循環路１４はもちろん内部循環路１１に及ぶようになって、このような磁気力線の密度の集中によって液状の燃料が活性化されるものである。
【００２２】
参照で、Ｎ極は磁気力線を発散して、Ｓ極は磁気力線が収斂する所であるために磁石を装着する場合に磁気力線の方向を勘案して凹入部１６が形成され磁石２０が装着されるものである。
【００２３】
特に、永久磁石２０が多数個に区分された形態で外部循環路１４の中央に長さ方向に一定間隔を置いて配置されて、内部循環路１１が永久磁石２０らの中央部位に配置されていて、また、ボディー１０と外部循環路１４が循環路８０によってジグザグで連結されて、長い外部循環路１４を循環する液状の燃料が磁場の影響を長い間受けるようになるので、改質化効率を高めることができる。
【００２４】
この時内部循環路１１では外部循環路１４の外壁に装着された磁石２０で発生される磁力線が１ヶ所で集まるようになりながら磁束(Magnetic Flux) 密度が高くなるようになることで、エンジンに注入される以前に強力な活性作用が起きるようになるものである。
上の実施例では６個の外部循環路１４を有するボディー１０を例で説明したが、本発明はこれに限定されないで一つの内部循環路１１に多様な偶数個の外部循環路１４を作ることができるものである。
【００２５】
また、液状の燃料が順次に他の循環路に流れないで、ボディー１０に形成された外部循環路１４a、１４b、１４c、１４d、１４e、１４fをジグザグで順次に循環した後、内部循環路１１に流入されて内部循環路出口１１aに吐出することができるようにボディー１０の隔壁１３はもちろん外壁１２、１５の両端に形成される突出壁１７、１７aを左右両端がお互いに行き違うように形成して、これとかみ合うように噛み合い部１８a、１９aを有する覆い１８、１９によって結合固定されることで突出壁１７、１７aが形成されない部分で、図５及び図１０に示すように循環路８０が形成されながらジグザグで循環するようになるものである。
【００２６】
特に、ボディー１０両端の隔壁１３と外壁１２、１５に形成された突出壁１７、１７aと噛み合い部１８aが結合される部分には密閉性を高めるためのＯリングが内在されているものであり、このような方式は多様な方式が使われることができるものである。
また、前記密閉覆い１８とボディー覆い１９には内部循環路１１と６個の外部循環路１４のうちの一つ１４aと連通される流入口１８b、１９bがそれぞれ形成されている。
それだけでなく、内部循環路１１の内壁に発熱体７０が内在されているので、液体燃料の改質化効率を高めることができる。
【００２７】
本発明は、自動車などのエンジンに使われる液状燃料に使われるもので説明しているが、飲用するかまたは各種野菜等の栽培のための水をイオン化させてフィルターが必要ない浄水器や軟水器、瞬間温水器、暖房器機などで適用することができるもらのである。
【図面の簡単な説明】
【００２８】
【図１】本発明の一実施例による外観斜視図である。
【図２】本発明の全体的な構成に対する組立状態図である。
【図３】本発明の全体的な組立断面図である。
【図４】本発明のボディーの分解組立図である。
【図５】本発明のボディーに覆いが形成され循環路が形成された部分断面図である。
【図６】本発明のボディーに磁石が装着された状態の断面図である。
【図７】本発明のボディーの一側に突出壁が形成された状態図である。
【図８】本発明のボディーの他側に突出壁が形成された状態図である。
【図９】本発明の乱流板の間にセラミックス筒に形成された状態図である。
【図１０】本発明のボディーに噛み合い部が形成されたボディー覆いのみが結合された断面図である。
【符号の説明】
【００２９】
１０：ボディー
１１：内部循環路
１１a：内部循環路出口
１２：外壁
１３：放射状で形成された隔壁
１４：外部循環路
１４a:燃料入口
１４f：燃料出口
１５：外壁
１５a：余白
１６：凹入部
１７：突出壁
１７a:突出壁
１８、１９：噛み合い部１８a、１９aを有する覆い
１８：密閉覆い
１８a：噛み合い部
１８b、１９b：流入口
１８a、１９a：噛み合い部
１９：ボディー覆い
１９：密閉覆い
１９c:補強リブ
２０：磁石
３０：セラミックス筒
３１：高純度セラミックスチップ
３２：通孔
４０：乱流板
４１：乱流孔
４２：切開片
４３：切開部
５０：円筒形状の外部ケース
５１、５２：流出入口
５３、５４：外部覆い
５５：空間
６０：螺旋形板
７０：発熱体
８０：循環路
【図１】
2010059840.tif 000003
【図２】
2010059840.tif 000004
【図３】
2010059840.tif 000005
【図４】
2010059840.tif 000006
【図５】
2010059840.tif 000007
【図６】
2010059840.tif 000008
【図７】
2010059840.tif 000009
【図８】
2010059840.tif 000010
【図９】
2010059840.tif 000011
【図１０】
2010059840.tif 000012